(57)【要約】一実施形態では、ディスプレイ装置には、カラーデータを処理してディスプレイ装置上での正確なカラー描画に役立つ統合カラー整合プロセッサが含まれている。統合カラー整合プロセッサは、ディスプレイ装置内にあっても、ディスプレイ装置外にあってもよい。いずれの場合でも、プロセッサは、カラー入力を受信し、変更済カラー画像データをディスプレイへと出力してもよい。
2004535597.tif 000002
【特許請求の範囲】
【請求項１】
ディスプレイ装置であって、
カラー画像を提示するディスプレイと、
前記ディスプレイ装置に統合され、カラー画像を調整するプロセッサとを、有し、
前記プロセッサは、
カラー入力を受信し、
前記カラー入力を処理して変更済カラー画像データを生成し、
前記変更済カラー画像データを前記ディスプレイへ出力する、
ことを特徴とするディスプレイ装置。
【請求項２】
前記カラー入力は、ディスプレイプロファイル及びソース装置プロファイルを含む請求項１に記載のディスプレイ装置。
【請求項３】
前記カラー入力は、画像データを含む請求項１に記載のディスプレイ装置。
【請求項４】
前記プロセッサは、内部カラー入力及び外部カラー入力を受信し、前記内部カラー入力は検出された状態を含む請求項１に記載のディスプレイ装置。
【請求項５】
前記外部カラー入力はユーザ入力を含む請求項４に記載のディスプレイ装置。
【請求項６】
前記外部カラー入力は画像データを含む請求項４に記載のディスプレイ装置。
【請求項７】
前記ディスプレイは、陰極線管、フラットパネルディスプレイ、デジタルペーパー、プラズマディスプレイ、及び電子インクディスプレイのうちの１つである請求項１に記載のディスプレイ装置。
【請求項８】
前記プロセッサは、
ディスプレイプロファイル、ソースプロファイル、及び画像データを含むカラー入力を受信し、
前記カラー入力を処理して変更済画像データを生成し、
前記変更済画像データを前記ディスプレイへと出力する、請求項１に記載のディスプレイ装置。
【請求項９】
前記ディスプレイ装置は、前記変更済画像データに従って、前記ディスプレイ上に画像を描画する請求項８に記載のディスプレイ装置。
【請求項１０】
前記ディスプレイ上に描画された画像は、前記ソースプロファイルに対応したソース装置により描画された画像と、実質的に視覚的整合している請求項９に記載のディスプレイ装置。
【請求項１１】
前記プロセッサに接続したアーカイブをさらに備え、前記アーカイブはリンクを格納する請求項１に記載のディスプレイ装置。
【請求項１２】
前記プロセッサは、前記ディスプレイ内に格納されている請求項１に記載のディスプレイ装置。
【請求項１３】
前記プロセッサは、
ディスプレイプロファイル、ソースプロファイル、及び画像データを含むカラー入力を受信し、
前記アーカイブを調べて、前記カラー入力につき、変更済画像データが既に処理されているかどうかを判別し、
変更済画像データが処理されていなければ、前記カラー入力を処理して変更済画像データを生成し、
前記変更済画像データを、前記ディスプレイへと出力する、請求項１１に記載のディスプレイ装置。
【請求項１４】
ディスプレイ装置内でカラー入力を受信し、
前記ディスプレイ装置に統合されたプロセッサ内で、変更済画像データを生成するために前記カラー入力を処理し、
前記変更済画像データに従ってカラーを表示する、
ことを特徴とする方法。
【請求項１５】
前記ディスプレイ装置内でカラー入力を受信することは、内部入力及び外部入力を受信することを含む請求項１４に記載の方法。
【請求項１６】
内部入力を受信することは、検出された状態及びディスプレイプロファイルの少なくとも１つを受信することを含む請求項１５に記載の方法。
【請求項１７】
外部入力を受信することは、検出された状態及び画像データの少なくとも１つを受信することを含む請求項１５に記載の方法。
【請求項１８】
外部入力を受信することは、ソースプロファイルを受信することを含む請求項１５に記載の方法。
【請求項１９】
前記ディスプレイ装置に統合されたプロセッサ内で前記カラー入力を処理することは、前記ディスプレイ装置内部のプロセッサ内で前記カラー入力を処理することを含む請求項１５に記載の方法。
【請求項２０】
前記ディスプレイ装置に統合されたプロセッサ内で前記カラー入力を処理することは、前記ディスプレイ装置に接続されたカラー整合ハードウェアユニット内部のプロセッサ内で前記カラー入力を処理することを含む請求項１５に記載の方法。
【発明の詳細な説明】
【技術分野】
【０００１】
本発明は、カラー画像形成に関し、特に、ディスプレイ装置上にカラー画像を提示することに関する。
【背景技術】
【０００２】
ディスプレイ装置には、陰極線管（ＣＲＴ）、液晶ディスプレイ（ＬＣＤ）若しくは他のフラットパネルディスプレイ、デジタルペーパー、プラズマディスプレイ、電子インクディスプレイ、又は、電磁入力信号から画像を描画可能な他のディスプレイ等のディスプレイを有する機器が含まれる。通例、ディスプレイ装置は、カラーを規定するのに機器依存の座標系を利用している。例えば、ディスプレイ装置は、カラーを規定するのに、赤、緑、及び青（ＲＧＢ）座標系を用いることがある。ＣＲＴディスプレイは、ＲＧＢの全表示領域内にカラー表示するのに、赤、緑、及び青の蛍光体の様々な組み合わせを用いることがある。
【０００３】
ディスプレイ装置上に正確にカラー描画することは、非常に望ましいことである。エンドユーザに対して視覚的に満足な画像を描画することは、明らかな理由で、一般に望ましい。なお、「ソフト校正（soft-proofing）」及び他のカラーインセンティブな画像アプリケーションのような、ある種の用途には、非常に正確なカラー描画が、絶対に必要とされている。
【０００４】
「ソフト校正」なる用語は、印刷されたハードコピーではなくディスプレイ装置を利用する校正過程を意味する。従来、カラー校正技術は、印刷媒体上の画像及びカラーが視覚的に正確であることを確実にするために、校正が印刷されて検査される「ハードコピー校正」に依拠していた。例えば、ハード校正過程にて、カラー特性が調整可能であり、連続したハードコピー印刷が検査可能である。特定の校正が良好である旨が確認された後、良好な校正を得るのに用いられたカラー特性が、良好な校正と視覚的に等価に見える大量の印刷媒体を、例えば印刷機上で大量生産するために、再利用されうる。
【０００５】
ソフト校正は、多くの理由から、望ましいものである。例えば、ソフト校正により、校正過程の際に、媒体上にハードコピーを印刷する必要がなくなる。さらに、ソフト校正により、複数の校正者が、単にディスプレイ装置を見るだけで、離れた場所からカラー画像を校正することも可能となる。ソフト校正は、ハード校正よりも、迅速かつ便利となりうる。さらに、ソフト校正により、校正過程のコストが削減される。これらの理由及び他の理由から、ソフト校正は非常に望ましいものである。
【０００６】
しかしながら、ソフト校正を実現するのは、非常に難しいことが分かっている。例えば、ハードコピーとディスプレイ装置上に提示された画像との間で、適切にカラーの整合をとることができず、このことにより、ソフト校正の効率が一般に制限されていた。
【０００７】
カラー管理ツール及び技術が開発され、様々な装置からの出力におけるカラー整合の正確さが向上してきた。例えば、画像形成装置を分類及び規定するのに用いられるカラープロファイル、並びに、カラー整合モジュール（ＣＭＭ）のようなカラー整合ソフトウェアが、この目的のために開発されてきた。
【０００８】
例えば、カラープロファイルは、特定のカラー画像を描写するのに用いられてきた装置を、分類及び規定するために利用可能である。カラープロファイルは、特定の装置のカラー特性を記述したデータ構造である。カラープロファイルには、装置が、機器独立（device-independent）座標系から機器依存（device-dependent）座標系へとどのように変換するのか、そしてその逆について記述したカラー情報が、含まれていてもよい。ある種の形式では、カラープロファイルに、使用される印刷媒体（プリンタの場合）を分類する情報、又は蛍光体（ＣＲＴディスプレイの場合）を分類する情報が、含まれてもよい。
【０００９】
カラー整合モジュール（ＣＭＭ）は、正確なカラー整合に役立つコンピュータプログラムである。ＣＭＭは、例えば、２つの異なる装置間でカラー出力を整合させるためのアルゴリズム又は参照テーブルを実装してもよい。それぞれのカラープロファイルを入力として用いることで、ＣＭＭは、第２の装置の出力が第１の装置の出力に対してより正確な視覚的整合をとることができるように、その第２の装置へと送られるカラーデータの色彩特性を変更してもよい。
【００１０】
ＣＭＭは、第２の装置を制御するコンピュータ上にロードされる。第２の装置は、そのカラープロファイルを、ＣＭＭに対して自動的に提供してもよい。第２の装置へと画像が送られる場合に、例えば、第１の装置のカラープロファイルをＣＭＭに提供するために、その画像に追加のファイルが付加されていてもよい。このように、ＣＭＭは、カラー整合アルゴリズムを実行するのに必要な入力を入手してもよい。こうして、第２の装置への入力が調整可能であり、第２の装置からの出力は、第１の装置からの出力に対して、より正確に整合するようになる。
【００１１】
本願では、画像なる用語は、広く、あらゆる種類のグラフィック表現を意味する。例えば、画像は、単にテキストのページ、写真、図表、又は、コンピュータのオペレーティングシステム・ソフトウェアにより生成されたボタン若しくはウィンドウのようなユーザインタフェース要素等の他の図案であってもよい。一般に、グラフィック要素又はグラフィック要素の集合は、画像を含みうる。
【発明の開示】
【００１２】
本発明は、カラー画像を提示するディスプレイと、ディスプレイ装置に統合され、カラー画像を調整するプロセッサとを、備えていてもよい。例えば、ディスプレイは、ＣＲＴ、ＬＣＤ若しくは他のフラットスクリーンディスプレイ、デジタルペーパー、プラズマディスプレイ、電子インクディスプレイ、又は電磁入力信号から画像を描画可能な他のディスプレイ等であってもよい。
【００１３】
プロセッサは、カラー入力を受信し、そのカラー入力を処理し、変更済カラー画像データをディスプレイへと出力してもよい。カラー入力には、内部カラー入力及び外部カラー入力が含まれてもよい。内部カラー入力には、ディスプレイから受信された入力が含まれる。例えば、内部カラー入力には、ディスプレイプロファイル又はディスプレイにより検出された状態が含まれてもよい。外部カラー入力には、ディスプレイ以外のソースから受信された入力が含まれる。例えば、外部カラー入力には、ソース装置プロファイル、画像データ、ディスプレイ外のソースにより検出された状態、又はユーザ入力が含まれてもよい。
【００１４】
他の例では、プロセッサは、ディスプレイプロファイル、ソースプロファイル、及び画像データを含むカラー入力を受信してもよい。そして、プロセッサは、入力を処理して、変更済画像データを生成し、その変更済画像データをディスプレイへと出力してもよい。そして、ディスプレイ装置は、その変更済画像データに従って画像を描画可能である。このように、ディスプレイ装置により描画された画像は、ソースプロファイルに対応したソース装置により描画された画像と、実質的に視覚的整合がとれることになる。
【００１５】
ディスプレイ装置は、プロセッサに接続した統合アーカイブをさらに備えてもよい。例えば、アーカイブには、電気的消去可能書込可能読出専用メモリ（ＥＥＰＲＯＭ）、ランダムアクセスメモリ、又は任意の他の適切なメモリ素子が含まれうる。プロセッサは、ディスプレイプロファイル、ソースプロファイル、及び画像データを含むカラー入力を受信してもよい。プロセッサは、アーカイブを調べて、カラー入力につき、変更済画像データが既に処理されているかどうかを判別してもよい。そして、プロセッサは、変更済画像データが処理されていなければ、前記カラー入力を処理して変更済画像データを生成し、変更済画像データを、ディスプレイへと出力してもよい。
【００１６】
統合されたプロセッサ及びアーカイブは、必要であれば、ディスプレイ装置内に格納されてもよい。その代わりに、プロセッサ及びアーカイブは、ディスプレイ装置に接続したカラー整合ハードウェアユニット内に格納されてもよい。
【００１７】
他の実施形態では、一方法は、ディスプレイ装置内でカラー入力を受信し、ディスプレイ装置に統合されたプロセッサ内で、カラー入力を処理し、変更済画像データを生成することを含んでもよい。また、その方法は、変更済画像データに従ってカラーを表示することを含んでもよい。
【００１８】
ディスプレイ装置内でカラー入力を受信することは、内部入力及び外部入力を受信することを含んでもよい。例えば、内部入力を受信することは、ディスプレイ装置から検出された状態を受信し、ディスプレイ装置からディスプレイプロファイルを受信することを含んでもよい。外部入力を受信することは、例えば、ディスプレイ装置外のソースから、検出された状態を含んでもよい。さらに、外部入力を受信することは、画像データ、ソースプロファイル、及び／又はユーザ入力を受信することを含んでもよい。
【００１９】
ディスプレイ装置に統合されたプロセッサ内で、カラー入力を処理することは、ディスプレイ装置内部のプロセッサ内でカラー入力を処理することを含んでもよい。その代わりに、ディスプレイ装置に統合されたプロセッサ内で、カラー入力を処理することは、ディスプレイ装置に接続されたカラー整合ハードウェアユニット内部のプロセッサ内でカラー入力を処理することを含んでもよい。
【００２０】
その方法は、リンクを生成することを、さらに含んでもよい。そして、リンクは、ディスプレイ装置に統合されたアーカイブ内に格納されてもよい。アーカイブは、プロセッサに接続し、例えば、リンクを格納してもよい。リンクは、プリンタ又はスキャナ等のソースからディスプレイ装置等の出力先装置への画像データのマッピングである。
【００２１】
さらに別の実施形態では、本発明は、ディスプレイ装置に統合されたカラー整合ハードウェアユニットを備えてもよい。カラー整合ハードウェアユニットは、ハウジング、及びそのハウジング内のプロセッサを備えてもよい。プロセッサは、カラー入力を受信し、カラー入力を処理し、変更済カラー画像データをディスプレイへと出力してもよい。また、カラー整合ハードウェアユニットは、ハウジング内のアーカイブを含み、そのアーカイブは、プロセッサに接続してもよい。例えば、プロセッサは、リンクを生成して、そのリンクをアーカイブ内に格納してもよい。
【００２２】
本発明のさらに別の実施形態では、一システムには、複数のディスプレイ装置が含まれてもよく、各ディスプレイ装置には、統合カラー整合プロセッサが含まれている。また、そのシステムには、ディスプレイ装置に接続したカラー管理コントローラと、そのカラー管理コントローラに接続した少なくとも１台の印刷装置とが含まれてもよい。それぞれのカラー整合プロセッサは、カラー管理ユニットからカラー入力を受信し、そのカラー入力を処理してもよい。そして、それぞれのカラー整合プロセッサは、変更済カラー画像データを、それぞれのカラー整合プロセッサに対応したそれぞれのディスプレイ装置へと出力してもよい。また、それぞれのカラー整合プロセッサは、カラー入力を、それぞれのカラー整合プロセッサに対応したそれぞれのディスプレイ装置から受信してもよい。
【００２３】
統合カラー整合プロセッサは、ディスプレイ装置内にあってもよい。その代わりに、統合カラー整合プロセッサは、カラー整合ハードウェアユニット内に格納されてもよい。例えば、システムには、複数のカラー整合ハードウェアユニットが、さらに含まれてもよく、各ハードウェアユニットはディスプレイ装置の１つに対応し、各ハードウェアユニットは、統合カラー整合プロセッサの１つを格納してもよい。システムには、複数のアーカイブが、さらに含まれてもよく、各アーカイブは、統合カラー整合プロセッサの１つに接続している。
【発明を実施するための最良の形態】
【００２４】
例示的な実施形態では、本発明は、カラーデータを処理してディスプレイ装置上に正確にカラー描画するのに役立つ統合カラー整合プロセッサが含まれたディスプレイ装置を有する。例えば、プロセッサは、ディスプレイ装置の外部にあるカラー整合モジュール（ＣＭＭ）により従来実行されていた機能を実行するプログラム可能プロセッサ、特定用途向け集積回路（ＡＳＩＣ）又はフィールドプログラマブルゲートアレイ（ＦＰＧＡ）であってもよい。統合カラー整合プロセッサにより、速度、正確さ、機能、及び／又は、ディスプレイ装置上でのカラー描画の柔軟性が向上することになる。特に、カラー整合プロセッサにより、例えば、ＲＧＢからｓＲＧＢへ、及びｓＲＧＢからＲＧＢへといった、ディスプレイ装置を駆動するホストコンピュータ内で通常必要とされるＲＧＢ変換が不要となるであろう。
【００２５】
さらに、統合プロセッサは、通例ホストコンピュータ上で稼動する外部のＣＭＭにより実行されるものを越えた機能を実行するように構成されてもよい。また、例えば、ディスプレイは、センサ等の追加の能力をも含み、視界状態及びユーザの好みに関する入力を、内部のカラー整合プロセッサに提供してもよい。その追加の能力は、カラー整合プロセッサとともに、ディスプレイ装置の一部を形成してもよい。結果として、ある種の実施形態では、カラー画像を表すカラー画像データが、ホストコンピュータによる有意な処理を必要とせずに、ディスプレイ装置へと直接送出されてもよい。ディスプレイ装置は、カラー画像データを、個々のディスプレイ装置のインタフェース能力に応じて、デジタル形式で受信してもよく、アナログ形式で受信してもよい。ほとんどの実施形態では、カラー整合プロセッサが、中間的なアナログ・デジタル変換又はアナログカラー値の処理を要さずに、デジタル画像データに対してカラー整合動作を実行できるような、デジタルインタフェースが望ましい。
【００２６】
一実施形態では、本発明は、ＣＭＭと同様の機能を持つ統合プロセッサが含まれたディスプレイ装置を備えている。従来、ＣＭＭは、ディスプレイ装置外の汎用ホストコンピュータ内で実行されるソフトウェア内に実装されている。例えば、汎用コンピュータには、命令を管理及び実行して、ディスプレイ装置等のいくつもの周辺機器を制御する命令を管理及び実行する中央演算処理装置（ＣＰＵ）が含まれていてもよい。ディスプレイ装置にプロセッサを統合することにより、ディスプレイ装置には実質的なコストが上乗せされる。但し、以下に詳細に説明するように、特別用途カラー整合プロセッサをディスプレイ装置に統合することにより、数々の利点が得られる。
【００２７】
図１は、本発明に係る実施形態によるブロック図である。図示のように、ディスプレイ装置１０には、カラー整合プロセッサ１２が含まれる。ディスプレイ装置１０には、ＣＲＴ、ＬＣＤ若しくは他のフラットスクリーンディスプレイ、デジタルペーパー、プラズマディスプレイ、電子インクディスプレイ、又は電磁入力信号から画像を描画可能な他のディスプレイ等のディスプレイが含まれる。例えば、プロセッサ１２は、ディスプレイ装置１０と送信元の装置との間におけるカラー整合に役立つようにプログラムされたプログラム可能なハードウェアであってもよい。例えば、プロセッサ１２は、ＡＳＩＣ、ＦＰＧＡ、又は汎用プログラム可能マイクロプロセッサであってもよい。
【００２８】
プロセッサ１２は、内部のディスプレイ電子回路からの入力、例えば、参照番号１６で示される内部入力、及び参照番号１４で示される他のコンピュータ又は描画装置からの外部入力を受信してもよい。外部入力１４及び内部入力１６は、プロセッサ１２によりバス（図示せず）を通じて受信されてもよい。プロセッサ１２は、内部及び外部入力１６、１４を通じてそれぞれ通信されるデータを処理して、ディスプレイ装置１０の色彩特性を制御及び／又は変更するためのディスプレイ信号１８を発生してもよい。例えば、プロセッサ１２は、外部入力１４にて受信された画像ファイル内の画像データに、カラー変換を適用するか、ディスプレイ電子回路に適用される駆動信号にキャリブレーションを適用するか、あるいは、それらの双方であってもよい。
【００２９】
例えば、内部入力１６には、ディスプレイ装置１０の色彩又はスペクトルベースの特性を規定しているディスプレイ装置プロファイルが含まれていてもよい。その代わりに、ディスプレイプロファイルは、プロセッサ１２の一部として組み込まれてもよい。また、内部入力１６には、ディスプレイ装置１０と接続又はディスプレイ装置１０に統合されたセンサから得られた、検出された照度状態又は検出されたディスプレイ放射等の追加の情報が含まれてもよい。例えば、外部入力１４には、画像データ、ソース装置プロファイル、及び／又はユーザ入力が含まれてもよい。画像データは、ディスプレイ装置上に提示される画像を規定した色彩画素データの大規模な集合体であってもよい。画素データは、画像を提示するためのラスタ画像データを規定している画像ファイルの一部であってもよい。例えば、画像データには、機器依存座標系（例えばＲＧＢ）の大規模な集合体が含まれてもよい。各機器依存座標系は、画像中の個々の画素のカラーを規定してもよい。ソース装置プロファイルは、画像を生成したソース装置又は画像データが元々意図されていたソース装置のカラー特性を記述するデータ構造である。例えば、ソース装置は、プリンタ、スキャナ、カメラ、又は他のディスプレイ装置であってもよい。ユーザ入力には、カラーの視覚的表現に影響するユーザの入力による追加のパラメータが含まれてもよい。例えば、ユーザ入力には、所望の印刷媒体、照度状態、全領域描画選択（gamut rendering selections）、及び／又はディスプレイ放射に関する情報が含まれてもよい。
【００３０】
一実施形態では、ソースプロファイルは、ラスタ画像データの一部を形成する。例えば、ソースプロファイルは、画像ファイルに付加されることがある。その代わりに、ソースプロファイルは、画像ファイルのラスタ画像データ内に組み込まれることもある。
【００３１】
図２は、本発明に係る実施形態による統合カラー整合プロセッサを有するディスプレイ装置とともに用いるのに適したコンピュータシステム２０を示すブロック図である。図２に示すように、コンピュータシステム２０には、汎用プロセッサ２１、ユーザ入力装置２２、ディスプレイ装置２３、メモリ２４、記憶装置２５、及びプリンタ２６が含まれてもよい。例えば、ディスプレイ装置２３は、カラーデータを処理して当該ディスプレイ装置２３上での正確なカラー描画に役立つカラー整合プロセッサ３１を有するディスプレイ装置であってもよい。
【００３２】
ディスプレイ装置２３に統合されたディスプレイプロセッサ３１の他にも、システム２０は、グラフィックアーチスト及び他のユーザが、電子的表示又は印刷物製作用のグラフィック画像を作成するのに用いる通常のシステムに実質的に準拠していてもよい。メモリ／バス・コントローラ２７及びシステムバス２８は、汎用プロセッサ２１とメモリ２４とを接続しており、１つ以上のＩ／Ｏコントローラ２９及びＩ／Ｏバス３０は、汎用プロセッサ２１及びメモリ２４を、ユーザ入力装置２２、ディスプレイ装置２３、記憶装置２５、及びプリンタ２６に接続している。
【００３３】
汎用プロセッサ２１は、汎用マイクロプロセッサの形態をとってもよく、ＰＣ、マッキントッシュ、コンピュータワークステーション、ハンドヘルドデータ端末、パームコンピュータ、デジタルペーパーシステム等に統合されるか、それらの一部を形成してもよい。ユーザ入力装置２２には、通常のキーボード、及び、必要であれば、マウス、ペン、トラックボール、赤外線ポインティングデバイス、又はタッチ感知スタイラス等のポインティングデバイスが含まれてもよい。メモリ２４には、プログラムコードを格納し、汎用プロセッサ２１がこのプログラムコードにアクセスして実行し、カラー画像形成方法を実行するランダムアクセスメモリ（ＲＡＭ）が含まれてもよい。
【００３４】
図３は、本発明による他のコンピュータシステムのブロック図である。図示のように、いくつものディスプレイ装置３３Ａ〜３３Ｃが、通信リンク３５Ａ〜３５Ｃを通じて、ネットワーク３６に接続してもよい。通信リンク３５Ａ〜３５Ｃは、有線でも無線でもよい。ディスプレイ装置３３Ａ〜３３Ｃは、カラーデータを処理することによりそれぞれのディスプレイ装置３３Ａ〜３３Ｃ上での正確なカラー描画に役立つディスプレイプロセッサ３４Ａ〜３４Ｃを有してもよい。ディスプレイ装置３３Ａ〜３３Ｃは、各装置にそれぞれ対応した個々のホストコンピュータを持たないこともある。その代わりに、ディスプレイ装置３３Ａ〜３３Ｃは、ネットワーク３６内のいくつもの装置のいずれかから、カラー画像データを受信することがある。ディスプレイプロセッサ３４Ａ〜３４Ｃは、それぞれのディスプレイ装置３３Ａ〜３３Ｃから受信したカラー画像データを処理して、正確なカラー描画に役立てることができる。
【００３５】
図４は、本発明に係る実施形態によるカラー管理システムのブロック図である。図４に、国際カラーコンソーシアム（ＩＣＣ：International Color Consortium）規格に準拠したシステムを示す。
【００３６】
図４に示すように、ディスプレイ装置４１には、統合カラー整合プロセッサ４３が含まれている。プロセッサ４３には、ディスプレイ装置４１とソース装置４５との間のカラー整合に役立つカラー管理回路が含まれてもよい。例えば、カラー整合コンピュータプログラムの機能がＡＳＩＣ内に実装されて、プロセッサ４３を実現してもよい。ソース装置４５は、直接又はネットワークを通じてディスプレイ４１に接続し、ディスプレイ４１に画像データを提供する。例えば、ソース装置４５は、ディスプレイ装置、プリンタ又はスキャナ等の画像形成装置であってもよい。ソース装置４５に対応したホストコンピュータは、カラー画像ファイル及びソースプロファイルを、ディスプレイ装置に伝達してもよい。その代わりに、ある種の実施形態では、ソース装置４５には、対応するホストコンピュータがないこともある。正確には、ソース装置４５は、ネットワークを通じて画像ファイルを受信することがある。但し、いずれの場合にも、カラー画像ファイル及びソースプロファイルは、ディスプレイ装置４１に対応したホストコンピュータにより処理されたり変換されたりする必要はない。その代わりに、ファイル及びプロファイルは、それらの元々の形式で、カラー整合プロセッサ４３による処理のために、ディスプレイ装置４１へと伝達されることがある。例えば、ディスプレイ装置４１には、ＣＲＴ、ＬＣＤ若しくは他のフラットスクリーンディスプレイ、デジタルペーパー、プラズマディスプレイ、電子インクディスプレイ、又は電磁入力信号から画像を描画可能な他のディスプレイ等のディスプレイが含まれてもよい。
【００３７】
ソース装置プロファイル４６及びディスプレイプロファイル４７は、カラー整合プロセッサ４３に対して、ソース装置４５とディスプレイ４１との間のカラー整合に役立つ入力を提供することができる。この場合、ディスプレイプロファイル４７は、画像の宛先プロファイルとしての役割を果たす。例えば、ソース及びディスプレイ（宛先）プロファイル４６，４７は、画像データの機器依存座標系を機器独立座標系へと変換する変換を提供してもよい。変換は、１つ又はそれ以上のアルゴリズム、数学的関係式、又は参照テーブルの形式をとりうる。ある種の実装例では、プロファイル４６，４７には、機器依存座標系から機器独立座標系への順変換及び逆変換が含まれてもよい。例えば、プリンタ用のソースプロファイルは、機器依存のシアン・マゼンダ・黄・黒（ＣＭＹＫ）カラー空間から、機器独立のＸＹＺカラー空間への順変換を規定してもよい。ディスプレイ装置４１用の宛先プロファイルは、機器依存のＲＧＢカラー空間から機器独立のＸＹＺカラー空間への順変換を規定しうる。
【００３８】
このように、順変換は、機器依存座標系を機器独立座標系へと変換し、逆変換は、機器独立座標系を機器依存座標系へと変換する。例えば、機器独立座標系は、スペクトル座標系、ＸＹＺ座標系、Ｌ＊ａ＊ｂ＊座標系、Ｌ＊ｕ＊ｖ＊座標系、又はカスタムカラー空間座標系等の様々なカラー空間のいずれかであってもよい。機器依存座標系は、ＲＧＢ座標系、ＣＭＹＫ座標系等であってもよい。プロセッサ４３は、ソース及び宛先プロファイルにより与えられた変換を適用して、ディスプレイ装置４１及びソース装置４５によりそれぞれ描画された画像間における視覚的整合性を向上させるべく画像データを調整するように構成されうる。
【００３９】
ディスプレイ装置４１は、ソース装置４５又はソース装置に対応したホストコンピュータに接続して、例えば、画像データを受信してもよい。画像データ及びソース装置プロファイル４６は、デジタル入力（４８で示される）を通じて、ディスプレイ装置４１へと入力されてもよい。ディスプレイ内部では、画像データ、ソース装置プロファイル４６及びディスプレイプロファイル４７が、カラー整合プロセッサ４３へと入力され、そこで、画像データがプロファイル４６，４７内のデータに基づいて操作されてもよい。プロセッサ４３からの出力４９は、ディスプレイ４１の出力とソース装置４５の出力との間の視覚的整合性を向上させるように調整された画像データであってもよい。ソース及び宛先プロファイルを用いて、カラー整合プロセッサ４３は、宛先装置すなわちディスプレイ装置４１上に、よりよいカラー精度で表示されるように、ソース装置用に作成されたカラー画像データを変換する役割を果たす機器リンクを生成してもよい。
【００４０】
カラー描画過程に従来のＩＣＣプロファイルが用いられている場合、図４に図示されたシステムが実装されてもよい。ディスプレイ装置４１の一部を形成するプロセッサ４３内に、カラー管理回路を組み込むことにより、カラー整合にてＩＣＣプロファイルが処理される際の速度及び精度が向上することになる。
【００４１】
ＩＣＣカラープロファイルは、プロファイル生成時に、全てのシステム状態の静的なセットが必要とされるという意味で、「初期結合（early binding）」プロファイルと称されうる。すなわち、カラー描画過程に影響しうる全ての変数が、プロファイル生成時に固定されていなければならない。例えば、照度状態、並びに、印刷媒体、全領域描画選択及びディスプレイ放射等の他の変数は、別個の要素として表されるのではなく、ＩＣＣプロファイルの一部をなすものとされる。変数に何らかの変更があると、新規のプロファイルが生成されなければならず、処理のオーバーヘッドの期間で、かなりの不利益となってしまう。
【００４２】
これとは別の手法として、「後期結合（late binding）」手法がある。遅延結合手法に組み込まれるプロファイルは、「後期結合」プロファイルと称される。例えば、後期結合プロファイルには、個々の描画装置の応答性を特徴づける基本的な色彩又はスペクトルベースの情報が含まれうる。但し、画像の視覚的体裁に影響する、光源状態情報、並びに、印刷媒体、全選択描画領域及び／又はディスプレイ放射等の他の変数は、基本的なカラープロファイルの一部を形成する必要はない。その代わりに、光源状態情報及び他の変数は、センサにより発生するかユーザにより入力されて後にその過程に追加される後期結合変数として、表現されてもよい。明らかとなることであるが、後期結合手法が本発明とともに用いられると、数々のさらなる利点が実現されうる。
【００４３】
図５は、本発明に係る実施形態による他のブロック図である。図示のように、ディスプレイ装置５１には、カラー整合プロセッサ５２が含まれている。また、プロセッサ５２には、ディスプレイ装置５１とソース装置（図示せず）との間のカラー整合に役立つカラー管理回路が含まれてもよい。例えば、コンピュータプログラムは、ＡＳＩＣ内に実装されて、カラー管理回路とともにプロセッサ５２を実現することができる。また、ディスプレイ装置５１には、ＣＲＴ、ＬＣＤ若しくは他のフラットスクリーンディスプレイ、デジタルペーパー、プラズマディスプレイ、電子インクディスプレイ、又は電磁入力信号から画像を描画可能な他のディスプレイ等のディスプレイが含まれてもよい。
【００４４】
プロセッサ５２は、ディスプレイ５１内及びディスプレイ５１外のソースから、入力を受信してもよい。例えば、ディスプレイプロファイル５３は、ディスプレイ５１からプロセッサに対して供給可能であるため、内部入力である。その代わりに、ディスプレイプロファイル５３は、プロセッサ５２内のカラー管理回路の一部として統合されうる。
【００４５】
また、検出状態５４が、内部入力としてプロセッサ５２へと供給されてもよい。例えば、ディスプレイ５１には、光源状態情報又はディスプレイ放射特性情報を提供するために、１つ又はそれ以上のセンサが含まれてもよい。その代わりに、検出状態５４は、例えば外部センサを通じて、外部入力として供給されてもよい。
【００４６】
外部入力は、ディスプレイへの１つ又はそれ以上のデジタル入力（５５で示される）を通じて、ディスプレイ５１に供給されてもよい。図示のように、外部入力には、ソース装置プロファイル５６、画像データ５７及び／又はユーザ入力５８が含まれてもよい。
【００４７】
内部及び外部入力はともに、プロセッサ５２に対して、送信元装置プロファイル５６に対応したソース装置とディスプレイ５１との間のカラー整合を促進するのに必要な情報を供給しうる。また、プロファイル５３，５６は、画像データの機器依存座標系を機器独立座標系へと変換する変換を提供しうる。プロセッサは、これらの変換を、他の内部及び外部入力とともに適用して、ディスプレイ５１及びソース装置によりそれぞれ描画される画像間の視覚的整合性が向上するように、画像データを調整することができる。
【００４８】
図５のシステムは、カラー管理に後期結合手法を実装していてもよい。ディスプレイプロファイル５３及びソース装置プロファイル５７は、ディスプレイ５１からの出力が、送信元装置プロファイル５６に対応した送信元装置に対して、視覚的により正確に整合するように、プロセッサ５２が画像データ５７をディスプレイ信号５９へと変換するのに用いる変換を提供してもよい。ユーザ入力５８及び検出状態５４は、プロセッサがディスプレイ信号５９を生成するのにプロファイル５３，５６とともに用いる後期結合変数であってもよい。ユーザ入力５８又は検出信号５４が変化すると、出力５９も変化する。なお、重要なことだが、新規のプロファイルが生成される必要はない。このように、プロセッサ５２は、ディスプレイ５１の視覚的体裁に影響する変数が変化したときに、迅速かつ効率的にディスプレイ５１の視覚的体裁を調整可能である。
【００４９】
図６は、本発明に係る実施形態によるさらに別のブロック図である。図示のように、ディスプレイ装置６１には、プロセッサ６２が含まれている。また、プロセッサ６２は、ディスプレイ装置６１とソース装置（図示せず）との間のカラー整合に役立つものであってもよい。例えば、プロセッサ６２は、図４及び図５にそれぞれ示されたプロセッサ４３，５２の動作と同様に動作するように、プログラムされてもよい。
【００５０】
プロセッサ６２からの出力は、ディスプレイ出力信号６３の少なくとも一部をもたらしてもよい。プロセッサ６２は、内部カラー入力６４及び外部カラー入力６５を処理して、ディスプレイ出力信号６３を生成してもよい。ディスプレイ出力信号６３は、ディスプレイ装置６１及び送信元装置によりそれぞれ描画される画像間の視覚的整合性を、向上させてもよい。
【００５１】
また、ディスプレイ装置６１は、アーカイブ６６を組み込んでもよい。例えば、アーカイブ６６は、ＥＥＰＲＯＭ、ＲＡＭ、又は他の適切な記憶装置等のメモリ装置内に設けられてもよい。アーカイブ６６は、プロセッサ６２に対して接続されて、プロセッサ６２からの出力を、以降の使用のために格納してもよい。例えば、いくつかの内部入力６４及び外部入力６５が、ディスプレイ装置６１へと後で入力される場合、プロセッサ６２は、入力を処理して調整済画像データを生成する必要はない。すなわち、同一のカラー画像が後にディスプレイ装置６１に対して提示され、同一の画像に対して、以前に受信された画像と同一のソース装置、同一の光源状態、及び同一の他の特性が再度対応づけられる場合、調整済画像データを再計算する必要はない。その代わりに、プロセッサ６２は、内部入力６４及び外部入力６５が最初に処理された時に格納されているアーカイブ６６から、調整済画像データを呼び出してもよい。この意味において、以前に算出されたデータの組が、ソースから宛先への同一のシナリオがその後発生した場合における以降の使用のために、ディスプレイ装置６１によりキャッシュされる。
【００５２】
アーカイブ６６内に格納された情報は、機器リンクとして格納されてもよい。リンクは、共通の変数の組が与えられた、個々のソース装置からディスプレイ装置６１へのマッピングである。例えば、リンクが画像データに適用されて、調整済画像データを生成することにより、ディスプレイ装置６１とソース装置との間の視覚的整合性が向上することになる。リンクは、プロセッサ６２にサポートされた変数、例えば、内部カラー入力６４及び外部カラー入力６５に依存している。一旦、プロセッサ６２がリンクを生成すると、リンクは、アーカイブ６６内に格納される。後に、同一の変数がディスプレイ装置６１に導入された場合、プロセッサは、同一のデータを再処理する必要はない。その代わりに、それらの変数に対応したリンクが、プロセッサ６２によりアーカイブ６６から呼び出されうる。このように、コンピュータ処理のオーバーヘッドが回避されるので、ディスプレイ出力信号６３が、ディスプレイ装置６１へとはるかに迅速に送出されることになる。
【００５３】
図７は、本発明に係る実施形態によるさらに別のブロック図である。図示のように、ディスプレイ装置７１には、ディスプレイ装置７１に統合されたプロセッサ７２が含まれている。但し、プロセッサ７１は、ディスプレイ装置７１の内部になく、すなわち、ディスプレイ装置７１の筐体内に収納されてはいない。また、プロセッサ７２は、ディスプレイ装置７１とソース装置（図示せず）との間のカラーの整合に役立つものであってもよい。例えば、プロセッサ７２は、図４、図５及び図６にそれぞれ示されたプロセッサ４３、５２、６２の動作と同様に動作するようにプログラムされてもよい。
【００５４】
図７では、プロセッサ７２は、ディスプレイ装置７１に統合されているが、ディスプレイ装置７１の内部にはない。プロセッサ７２は、ホストコンピュータに対してではなく、ディスプレイ装置７１に対してのみ関連しているので、ディスプレイ装置７１に統合されている。プロセッサ７２及びアーカイブ７６は、必要であれば、カラー整合ハードウェアユニット７９内に格納されうる。例えば、カラー整合ハードウェアユニット７９は、ディスプレイ７１に接続してディスプレイ装置７１上に正確なカラー描画をするのに役立つ、独立したユニットであってもよい。このように、カラー整合ハードウェアユニット７９は、ディスプレイ装置７１に統合されている。
【００５５】
カラー整合ハードウェアユニット７９は、例えば、ソース装置、ソース装置に対応したホストコンピュータ、又はネットワーク接続からの外部カラー入力７５を受信してもよい。さらに、カラー整合ハードウェア７９は、例えば、ディスプレイ装置７１からのデジタル出力（参照番号７７で示される）を通じて、ディスプレイ装置７１から内部カラー入力７４を受信してもよい。そして、内部及び外部入力は、カラー整合ハードウェアユニット７９内部のプロセッサ７２により処理されてもよい。カラー整合ハードウェアユニット７９からの出力は、ディスプレイ装置７１上のディスプレイ出力７３を発生するための信号であってもよい。例えば、カラー整合ハードウェアユニット７９からの出力は、ディスプレイ装置７１のデジタル入力（参照番号７８で示される）を通じて、ディスプレイ装置７１により受信されてもよい。ある実施形態では、デジタル入力７８及びデジタル出力７７は、ディスプレイ装置７１とカラー整合ハードウェアユニット７９との間の単一のデジタル接続を含んでもよい。
【００５６】
図８は、本発明に係る実施形態によるフローチャートである。図示のように、カラー入力が受信される（８３）。次に、入力は、例えば、ディスプレイ装置内のプロセッサ又はディスプレイ装置に接続したカラー整合ハードウェアユニット内のプロセッサ等のディスプレイ装置に統合されたプロセッサにより処理される（８５）。カラー入力を処理（８５）した後、入力に応じてカラーを表示可能である（８７）。
【００５７】
カラー入力には、ディスプレイ装置のプロファイルが含まれ、ディスプレイ装置により自動的に検出された光源状態又はディスプレイ放射特性等の検出情報も含まれてもよい。また、カラー入力には、ソース装置プロファイル及び画像データが含まれうる。さらに、カラー入力には、ユーザ入力が含まれてもよい。
【００５８】
プロセッサは、ディスプレイ内に組み込まれてカラー入力を内部的に処理してもよく、ディスプレイ装置に接続したカラー整合ハードウェアユニット内に組み込まれてもよい。例えば、プロセッサには、ディスプレイ装置とソース装置との間のカラー整合に役立つカラー管理回路が含まれてもよい。プロセッサからの出力は、ディスプレイ装置へと接続されて、そのプロセッサからの出力により、ディスプレイ装置が、カラー入力に従ってカラーを生成（８７）するようにしてもよい。
【００５９】
図９は、本発明に係る実施形態による他のフローチャートである。図示のように、カラーが表示される（９１）。例えば、カラーは、図８に示された過程と一致した方式で表示されてもよい。但し、カラー入力のいずれかが変更された場合（９３のＹＥＳ分岐）、変更されたカラー入力が再処理される（９５）。そして、変更されたカラー入力に従って、カラーが表示される（９７）。
【００６０】
図９に、後期結合手法で実現可能なカラー描画の順応性を示す。入力変数が変化した場合、ディスプレイ上に現れるカラーも同様に変化する。さらに、カラー整合のために、ディスプレイ装置に統合されたプロセッサを組み込むことにより、ディスプレイからの出力に対する変更がほぼ即時になされる。
【００６１】
図１０は、本発明に係る実施形態によるさらに別のフローチャートである。図示のように、内部カラー入力が受信され（１０１）、外部カラー入力が受信される（１０３）。入力が受信されると、それはディスプレイ装置、例えば、プロセッサによりディスプレイ装置内又はディスプレイ装置に接続したカラー整合ハードウェアユニット内に統合されたプロセッサで処理可能である（１０５）。プロセッサは、それぞれのカラー入力に応じたリンクを作成可能であり（１０６）、そのリンクはアーカイブ内に格納可能である（１０７）。そして、そのリンクに従ってカラーが表示される（１０９）。
【００６２】
また、リンクは、共通の変数の組（例えば、内部入力の共通の組及び外部入力の共通の組）が与えられた、特定のソース装置からディスプレイ装置へのマッピングである。例えば、リンクは、調整済画像データを生成するために、画像データに適用されてもよい。調整済画像データは、ディスプレイへと送信されることにより、ディスプレイ装置とソース装置との間の視覚的整合を向上させることができる。
【００６３】
図１１は、本発明に係る実施形態による他のフローチャートである。図示のように、カラー入力が受信される（１１１）。アーカイブ内にカラー入力に対応したリンクがある場合（１１３のＹＥＳ分岐）、そのリンクに従ってカラーが表示される（１１９）。一方、アーカイブ内にカラー入力に対応したリンクがない場合（１１３のＮＯ分岐）、ディスプレイ装置に統合されてカラー入力が処理される。処理により、カラー入力に対応したリンクが作成され（１１７）、作成されたリンクは、アーカイブ内に格納可能である（１１８）。そして、カラーは、リンクに従って表示可能である（１１９）。
【００６４】
図１２に、例示的なソフト校正システム１２０を示す。ソフト校正システム１２０は、校正過程における正確なカラー生成及びカラー整合を実現するために、本発明の１つ又はそれ以上の側面を実装してもよい。ソフト校正システム１２０には、１つ又はそれ以上の校正ステーション１２１Ａ〜１２１Ｄが含まれてもよい。校正ステーション１２１Ａ〜１２１Ｄには、カラーデータを処理してそれぞれのディスプレイ装置上での正確なカラー描画に役立つ内部カラー整合プロセッサを有するディスプレイ装置１２２Ａ〜１２２Ｄが含まれてもよい。その代わりに、校正ステーション１２１Ａ〜１２１Ｄは、カラー整合プロセッサを格納したカラー整合ハードウェアユニット（図示せず）に接続してもよい。
【００６５】
また、ソフト校正システム１２０には、ソフト校正カラー管理コントローラ１２５が含まれもよい。例えば、ソフト校正カラー管理コントローラ１２５は、校正ステーション１２１Ａ〜１２１Ｄへの外部入力を提供してもよい。
【００６６】
また、ソフト校正システム１２０には、印刷機等の少なくとも１台の印刷装置１２８が含まれてもよい。動作の際、ソフト校正システム１２０は、それぞれの校正ステーション１２１Ａ〜１２１Ｄにて、カラー画像を生成してもよい。カラーの専門家は、それぞれの校正ステーション１２１Ａ〜１２１Ｄにて画像を検査し、画像の視覚的体裁を調整してもよい。一旦、校正ステーション１２１Ａ〜１２１Ｄにて画像が良好に見えたなら、印刷装置１２８は、校正ステーション１２１Ａ〜１２１Ｄにて表示された画像と視覚的に等価に見える大量の印刷媒体を、大量印刷するのに用いられうる。重要なことであるが、以上概説された技術及び教示内容を実施することは、校正ステーション１２１Ａ〜１２１Ｄに現れる画像が、確実に、印刷装置１２８により印刷された画像と視覚的に等価に見えるようにするのに役立ちうる。
【００６７】
本発明のいくつもの実装例及び実施形態が説明されてきた。例えば、ディスプレイ装置には、ディスプレイ装置上での正確なカラー描画に役立つようにカラーデータを処理する、統合カラー整合プロセッサが含まれることが説明された。例えば、統合プロセッサは、ディスプレイ筐体内に格納されてもよく、あるいは、ディスプレイに接続したカラー整合ハードウェアユニット内に格納されてもよい。
【図面の簡単な説明】
【００６８】
【図１】本発明に係る実施形態による統合カラー整合プロセッサ付きディスプレイ装置のブロック図である。
【図２】本発明に係る実施形態による統合カラー整合プロセッサを有するディスプレイ装置とともに用いるのに適したシステムを示すブロック図である。
【図３】ネットワークに接続した複数のディスプレイを有するシステムのブロック図である。
【図４】本発明に係る実施形態によるカラー管理システムのブロック図である。
【図５】本発明に係る実施形態による他のブロック図である。
【図６】本発明に係る実施形態による他のブロック図である。
【図７】本発明に係る実施形態による他のブロック図である。
【図８】本発明に係る実施形態によるフローチャートである。
【図９】本発明に係る実施形態によるフローチャートである。
【図１０】本発明に係る実施形態によるフローチャートである。
【図１１】本発明に係る実施形態によるフローチャートである。
【図１２】本発明に係るディスプレイ装置を組み込んだ例示的なソフト校正システムである。
【図１】
2004535597.tif 000003
【図２】
2004535597.tif 000004
【図３】
2004535597.tif 000005
【図４】
2004535597.tif 000006
【図５】
2004535597.tif 000007
【図６】
2004535597.tif 000008
【図７】
2004535597.tif 000009
【図８】
2004535597.tif 000010
【図９】
2004535597.tif 000011
【図１０】
2004535597.tif 000012
【図１１】
2004535597.tif 000013
【図１２】
2004535597.tif 000014
【国際公開パンフレット】
2004535597.tif 000015
2004535597.tif 000016
2004535597.tif 000017
2004535597.tif 000018
2004535597.tif 000019
2004535597.tif 000020
2004535597.tif 000021
2004535597.tif 000022
2004535597.tif 000023
2004535597.tif 000024
2004535597.tif 000025
2004535597.tif 000026
2004535597.tif 000027
2004535597.tif 000028
2004535597.tif 000029
2004535597.tif 000030
2004535597.tif 000031
2004535597.tif 000032
2004535597.tif 000033
2004535597.tif 000034
2004535597.tif 000035
2004535597.tif 000036
2004535597.tif 000037
2004535597.tif 000038
2004535597.tif 000039
2004535597.tif 000040
2004535597.tif 000041
2004535597.tif 000042
2004535597.tif 000043
2004535597.tif 000044
2004535597.tif 000045
2004535597.tif 000046
2004535597.tif 000047
2004535597.tif 000048
【国際調査報告】
2004535597.tif 000049
2004535597.tif 000050
2004535597.tif 000051